(57)【特許請求の範囲】
【請求項１】
加熱部と、
前記加熱部の加熱条件を選択するために用いられる選択操作部と、
前記選択操作部に配置される複数のスイッチ部と、
を備える加熱調理器であって、
前記複数のスイッチ部の少なくとも一部は、
矩形状の外形を有する押し込み可能な表示部と、
前記表示部の角部に形成された発光表示部と、
前記表示部に覆われて位置し、弾性を有する操作体と、
前記表示部に覆われ、前記操作体に隣接して位置する光透過部と、
前記操作体を介して押し込まれるように構成されたプッシュスイッチと、
前記光透過部を介して前記発光表示部に光を入射させることのできる光源と、を備え、
前記操作体は、前記表示部の外形に対して傾き、かつ前記表示部よりも一回り小さな矩形状の領域内に形成され、
前記光透過部は、前記矩形状の領域を区画する四辺のうち一つの辺に対して、その外側に隣接して位置することを特徴とする加熱調理器。
【請求項２】
前記操作体は、
前記矩形状の領域を区画する四辺に沿って形成される弾性アーム構造と、
前記弾性アーム構造に支持される突起部と、を備え、
前記突起部が、前記プッシュスイッチに押し込まれるように構成された
ことを特徴とする請求項１に記載の加熱調理器。
【発明の詳細な説明】
【技術分野】
【０００１】
本発明は、加熱調理器に関し、詳しくは、加熱条件を選択することのできる選択操作部を備えた加熱調理器に関する。
【背景技術】
【０００２】
加熱条件を選択することのできる選択操作部を備えた加熱調理器が、従来提供されている。選択操作部には、複数のスイッチ部が配置されており、使用者がいずれかのスイッチ部を押し込むことで、加熱条件が選択される。
【０００３】
特許文献１に示されるように、従来の加熱調理器では、スイッチ部を強調表示するために、スイッチ部の全体を発光させることが行われていた。
【先行技術文献】
【特許文献】
【０００４】
【特許文献１】特開２０１３−１１３７６号公報
【発明の概要】
【発明が解決しようとする課題】
【０００５】
従来の加熱調理器においては、スイッチ部の全体を発光させるために、高輝度のＬＥＤや導光部材が必要になり、製造コストが高くなるという問題があった。
【０００６】
これに対して、スイッチ部を発光させるのではなく、スイッチ部に隣接する箇所に小型の発光表示部を配することも考えられる。
【０００７】
この場合、高輝度のＬＥＤや導光部材を備える必要がなく、製造コストが抑えられる。しかし、選択操作部の限られた範囲内に、スイッチ部とは別に発光表示部を配置するために、スイッチ部を小型化することが必要になる。その結果として、選択操作部の操作性が低下する。
【０００８】
本発明は、発光によってスイッチ部を強調表示することができるとともに、製造コストを抑え、かつ、選択操作部の操作性を良好に保つことのできる加熱調理器を提供することを、目的とする。
【課題を解決するための手段】
【０００９】
本発明に係る形態の加熱調理器は、加熱部と、前記加熱部の加熱条件を選択するために用いられる選択操作部と、前記選択操作部に配置される複数のスイッチ部と、を備える。
【００１０】
前記複数のスイッチ部の少なくとも一部は、押し込み可能な表示部と、弾性を有する操作体と、光透過部と、プッシュスイッチと、光源とを備える。
【００１１】
前記表示部は、矩形状の外形を有する。
【００１２】
前記操作体は、前記表示部に覆われて位置する。
【００１３】
前記光透過部は、前記表示部に覆われ、前記操作体に隣接して位置する。
【００１４】
前記プッシュスイッチは、前記操作体を介して押し込まれるように構成される。
【００１５】
前記光源は、前記光透過部を介して前記表示部の一部に光を入射させることができる。
【００１６】
さらに、前記操作体は、前記表示部の外形に対して傾いた矩形状の領域内に形成される。前記光透過部は、前記矩形状の領域を区画する四辺のうち一つの辺に対して、隣接して位置する。
【発明の効果】
【００１７】
本発明の加熱調理器は、発光によってスイッチ部を強調表示することができるとともに、製造コストを抑え、かつ、選択操作部の操作性の良好に保つことができるという効果を奏する。
【図面の簡単な説明】
【００１８】
【図１】一実施形態の加熱調理器の選択操作部が収納された状態を示す全体斜視図である。
【図２】一実施形態の加熱調理器の選択操作部が露出した状態を示す全体斜視図である。
【図３】一実施形態の加熱調理器の選択操作部を示す斜視図である。
【図４】一実施形態の加熱調理器の選択操作部を示す分解斜視図である。
【図５】一実施形態の加熱調理器の選択操作部の一部を拡大して示す正面図である。
【発明を実施するための形態】
【００１９】
図１、図２には、一実施形態の加熱調理器を示している。
【００２０】
本実施形態の加熱調理器は、調理器本体６の天板６１に、コンロ部１１を備えたガスコンロであり、さらに、調理器本体６の左右方向の中央にグリル部１２を内蔵している。コンロ部１１は、天板６１に配置される複数のコンロバーナ１１５で構成される。
【００２１】
本実施形態の加熱調理器では、コンロ部１１とグリル部１２が、ともに加熱部１である。
【００２２】
調理器本体６の前面には、グリル部１２を開閉するグリル扉６２が設けられ、グリル扉６２を挟んで左右両側の位置に、パネル状の選択操作部２が設けられる。
【００２３】
選択操作部２は、いわゆるカンガルーポケット型機構によって、選択操作部２が上をむく姿勢と、選択操作部２が前斜め上方をむく姿勢との間で、回動自在である。選択操作部２が上をむく姿勢において、選択操作部２は調理器本体６に収容される（図１参照）。選択操作部２が前斜め上方をむく姿勢において、選択操作部２は調理器本体６から前方に飛び出して位置する（図２参照）。
【００２４】
なお、選択操作部２は調理器本体６の適宜箇所に設置されていればよく、選択操作部２の数も特に限定されない。選択操作部２を収容する機構についても、カンガルーポケット機構以外の適宜の機構が採用可能である。
【００２５】
また、本実施形態の加熱調理器は、ビルトイン型のガスコンロであるが、加熱部を備えるものであれば、電気コンロ、電磁調理器、テーブルコンロ、コンロ部を備えないグリル調理器等の他の加熱調理器でもよく、特に限定されない。
【００２６】
本実施形態の選択操作部２は、コンロ部１１やグリル部１２の加熱条件を選択することのできる複数のスイッチ部２１を備える。
【００２７】
図３乃至図５には、本実施形態の加熱調理器が備える一対の選択操作部２のうち、正面視において右側の選択操作部２を示している。右側の選択操作部２と左側の選択操作部２は基本的な構造が共通であるから、以下においては、右側の選択操作部２の基本的な構造について説明する。
【００２８】
図３に示すように、右側の選択操作部２では、コンロ部１１の加熱条件を選択することのできる複数のスイッチ部２１が、右側半部に配置され、グリル部１２の加熱条件を選択することのできる複数のスイッチ部２１が、左側半部に配置されている。
【００２９】
各スイッチ部２１は、使用者が指で押し込むことのできる表示部３１を、最も外側の部分に備える。表示部３１が、スイッチ部２１の表面を構成する。
【００３０】
表示部３１は、矩形状の外形を有する。表示部３１には、その表示部３１を押し込むことで選択可能な加熱条件が、図形や文字で表示されている。
【００３１】
選択操作部２に配置される複数（１１個）のスイッチ部２１のうち、一部（４個）のスイッチ部２１では、表示部３１の一つの角部に、三角形状の発光表示部３１５が形成されている。
【００３２】
発光表示部３１５は、発光によってそのスイッチ部２１を強調表示する部分である。本実施形態の選択操作部２では、スイッチ部２１の表面の角部において発光表示部３１５が発光することで、そのスイッチ部２１を用いて加熱条件が選択されていることが表示される。
【００３３】
なお、発光表示部３１５を発光させるタイミングや、発光表示部３１５の発光により表示する内容は、適宜に設定可能である。
【００３４】
選択操作部２に配置される複数のスイッチ部２１のうち、一部（７個）のスイッチ部２１には、発光表示部３１５が形成されていない。以下においては区別のため、発光表示部３１５が形成されたスイッチ部２１を発光有りスイッチ部２１ａと称し、発光表示部３１５が形成されないスイッチ部２１を発光無しスイッチ部２１ｂと称する。
【００３５】
まず、発光有りスイッチ部２１ａについて説明する。
【００３６】
発光有りスイッチ部２１ａにおいては、矩形状の表示部３１によって覆われる位置に、弾性を有する操作体４１と、光を正面に透過することのできる筒型の光透過部４２が、互いに隣接して位置する（図４、図５参照）。選択操作部２を正面から視たときに、操作体４１は表示部３１の中央部分と重なる位置にあり、光透過部４２は発光表示部３１５と重なる位置にある。
【００３７】
操作体４１は、一対の弾性アーム４１１５で形成される弾性アーム構造４１１と、弾性アーム構造４１１によって支持される突起部４１２とを備える。操作体４１は、四辺Ｓ１，Ｓ２，Ｓ３，Ｓ４によって周囲と区画された矩形状の領域Ｒ１内に、コンパクトに形成される。
【００３８】
矩形状に区画される領域Ｒ１は、同じく矩形状である表示部３１よりも一回り小さく、かつ、表示部３１に対して４５°だけ傾いた姿勢にある。つまり、領域Ｒ１を区画する四辺Ｓ１，Ｓ２，Ｓ３，Ｓ４は、それぞれ表示部３１の四辺に対して４５°傾いて位置する。ここでの４５°の傾きは、厳密に４５°であることに限定されず、略４５°であることを含む。
【００３９】
選択操作部２を正面から視たとき、領域Ｒ１を区画する四辺Ｓ１，Ｓ２，Ｓ３，Ｓ４のそれぞれと、表示部３１の角部分との間には、三角形状のスペースが形成される。
【００４０】
操作体４１の突起部４１２は、領域Ｒ１の中央に位置する。弾性アーム構造４１１は、突起部４１２を中心として点対称な形状を有する。弾性アーム構造４１１を形成する一対の弾性アーム４１１５は、突起部４１２を中心として互いに点対称である。
【００４１】
弾性アーム構造４１１は、矩形状の領域Ｒ１を区画する四辺Ｓ１，Ｓ２，Ｓ３，Ｓ４に沿って形成される。つまり、弾性アーム構造４１１を形成する一方の弾性アーム４１１５の主要部は、領域Ｒ１を区画する四辺Ｓ１，Ｓ２，Ｓ３，Ｓ４のうち、互いに隣接する二辺Ｓ１，Ｓ２に沿ってＬ字型に形成される。他方の弾性アーム４１１５の主要部は、この二辺Ｓ１，Ｓ２とは別の二辺Ｓ３，Ｓ４に沿ってＬ字型に形成される。
【００４２】
光透過部４２は、領域Ｒ１を区画する四辺Ｓ１，Ｓ２，Ｓ３，Ｓ４のうち一辺Ｓ１に対して、隣接して位置する。つまり、領域Ｒ１を区画する四辺Ｓ１，Ｓ２，Ｓ３，Ｓ４のうち一辺Ｓ１と、表示部３１の角部分との間に、三角形状のスペースが形成され、このスペースに光透過部４２が位置する。
【００４３】
発光有りスイッチ部２１ａにおいては、操作体４１の突起部４１２によって押し込まれる位置に、プッシュスイッチ５１が配置され、光透過部４２と対向する位置に、ＬＥＤからなる光源５２が配置される（図４参照）。
【００４４】
したがって、発光有りスイッチ部２１ａにおいては、使用者が表示部３１を押し込んだときに、操作体４１の弾性アーム構造４１１が弾性変形し、突起部４１２を介してプッシュスイッチ５１が押し込まれる。光源５２から出射された光は、光透過部４２を介して表示部３１の角部分に入射され、この角部分の発光表示部３１５を発光させる。
【００４５】
次に、発光無しスイッチ部２１ｂについて説明する。
【００４６】
なお、発光無しスイッチ部２１ｂの構成のうち、発光有りスイッチ部２１ａと同様の構成については、説明を省略する。
【００４７】
発光無しスイッチ部２１ｂは、発光有りスイッチ部２１ａと異なり、光透過部４２と光源５２を備えない。発光無しスイッチ部２１ｂが備える表示部３１は、発光有りスイッチ部２１ａのものと比較して左右方向の幅が小さい。発光無しスイッチ部２１ｂが備える操作体４１は、発光有りスイッチ部２１ａの操作体４１と略同一の寸法形状を有するか、あるいは、発光有りスイッチ部２１ａの操作体４１を反転させたものと略同一の寸法形状を有する。
【００４８】
発光無しスイッチ部２１ｂにおいては、操作体４１を周囲から区画する矩形状の領域Ｒ１が、表示部３１に対して傾くことなく位置する（図５参照）。領域Ｒ１を区画する四辺Ｓ１，Ｓ２，Ｓ３，Ｓ４と、表示部３１の四辺とは、互いに平行である。ここでの平行とは、厳密に平行であることに限定されず、略平行であることを含む。
【００４９】
発光無しスイッチ部２１ｂにおいても、使用者が表示部３１を押し込んだときに、操作体４１の弾性アーム構造４１１が弾性変形し、突起部４１２を介してプッシュスイッチ５１が押し込まれる。
【００５０】
ところで、本実施形態の選択操作部２は、複数のプッシュスイッチ５１と複数の光源５２が一面側に実装された基板５と、基板５の一面側を覆うように配置される中間パネル４と、中間パネル４の一面上に重ねて配置される操作シート３とで、全体としてパネル状に形成されている（図４参照）。
【００５１】
中間パネル４は、合成樹脂を用いて成形されたパネルであり、複数のプッシュスイッチ５１と対向する各箇所にスリットを設けて、操作体４１を形成している。同様に、複数の光源５１と対向する各箇所に貫通孔を設けて、光透過部４２を形成している。
【００５２】
操作シート３は、文字や図形が印刷された可撓性のシートであり、複数の操作体４１と重なる各箇所に、表示部３１を設けている。操作シート３に配置される複数の表示部３１は、一方向に並んで（本実施形態では二列に並んで）位置する。
【００５３】
操作シート３が備える複数の表示部３１のうち、角部分に発光表示部３１５を有する矩形状の表示部３１が、発光有りスイッチ部２１ａの表面を構成し、発光表示部３１５を有さない矩形状の表示部３１が、発光無しスイッチ部２１ｂの表面を構成する。
【００５４】
本実施形態の加熱調理器においては、発光有りスイッチ部２１ａを強調表示するために、角部分の発光表示部３１５を発光させればよいので、光源５２として高輝度のＬＥＤを用いることや、導光部材をさらに備えることが必要でなく、製造コストが抑制される。
【００５５】
加えて、発光有りスイッチ部２１ａでは、４５°傾いた矩形状の領域Ｒ１内に操作体４１を形成し、この領域Ｒ１の一辺Ｓ１と隣接する箇所に光透過部４２を形成し、この光透過部４２を通じて、表示部３１の角部分の発光表示部３１５を発光させる構造である。そのため、限られた範囲内に操作体４１と光透過部４２を効率的に配置することができ、操作体４１の弾性アーム構造４１１に十分な弾性を持たせることも可能となる。
【００５６】
以上、添付図面に基づいて詳述したように、本実施形態の加熱調理器は、加熱部１と、加熱部１の加熱条件を選択するために用いられる選択操作部２と、選択操作部２に配置される複数のスイッチ部２１を備える。
【００５７】
複数のスイッチ部２１のうち少なくとも一部は、矩形状の外形を有する押し込み可能な表示部３１と、表示部３１に覆われて位置し、弾性を有する操作体４１と、表示部３１に覆われ、操作体４１に隣接して位置する光透過部４２と、操作体４１を介して押し込まれるように構成されたプッシュスイッチ５１と、光透過部４２を介して表示部３１の一部に光を入射させることのできる光源５２を備える。
【００５８】
操作体４１は、表示部３１の外形に対して傾いた矩形状の領域Ｒ１内に形成され、光透過部４２は、矩形状の領域Ｒ１を区画する四辺Ｓ１，Ｓ２，Ｓ３，Ｓ４うち一つの辺Ｓ１に対して、隣接して位置する。
【００５９】
本実施形態の加熱調理器によれば、表示部３１の一部を発光させることで、スイッチ部２１を強調表示することができ、光源５２として高輝度のＬＥＤが必要でないことから、製造コストが抑えられる。さらに、操作体４１を小型化せずとも光透過部４２を配置することが可能なので、スイッチ部２１を押し込むときの操作性を良好に保つことができる。
【００６０】
加えて、本実施形態の加熱調理器において、操作体４１は、矩形状の領域Ｒ１を区画する四辺Ｓ１，Ｓ２，Ｓ３，Ｓ４に沿って形成される弾性アーム構造４１１と、弾性アーム構造４１１に支持される突起部４１２とを備える。突起部４１２が、プッシュスイッチ５１に押し込まれるように構成されている。
【００６１】
本実施形態の加熱調理器によれば、限られた矩形状の領域Ｒ１内に、十分な弾性を発揮することのできる弾性アーム構造４１１を形成することができる。そのため、スイッチ部２１の操作性が確保される。
【００６２】
以上、実施形態の加熱調理器について説明したが、加熱調理器は前記した実施形態に限定されず、適宜の設計変更を行うことが可能である。たとえば、本実施形態の加熱調理器では、複数のスイッチ部２１の一部を発光有りスイッチ部２１ａで構成しているが、複数のスイッチ部２１の全てを発光有りスイッチ部２１ａで構成してもよい。
【符号の説明】
【００６３】
１          加熱部
２          選択操作部
２１        スイッチ部
３１        表示部
４１        操作体
４１１      弾性アーム構造
４１２      突起部
４２        光透過部
５１        プッシュスイッチ
５２        光源
Ｒ１        領域
Ｓ１〜Ｓ４  領域を区画する辺
【図１】
0006600195.tif 000002
【図２】
0006600195.tif 000003
【図３】
0006600195.tif 000004
【図４】
0006600195.tif 000005
【図５】
0006600195.tif 000006